(57)【特許請求の範囲】
【請求項１】
空気入りタイヤをホイールにリム組みしたタイヤ・ホイール組立体において、前記空気入りタイヤのビード部を前記ホイールのリムフランジ又はビードシートに対して雄ネジで連結すると共に、該雄ネジの先端部を前記ビード部内のビードコアに螺合させたタイヤ・ホイール組立体。
【請求項２】
前記ビードコアを単一の中実鋼材で構成した請求項１に記載のタイヤ・ホイール組立体。
【請求項３】
前記ビードコアにおいて前記雄ネジが螺合する箇所を非螺合箇所よりも肉厚を大きくした請求項２に記載のタイヤ・ホイール組立体。
【請求項４】
前記雄ネジを金属又は樹脂で形成した請求項１〜３のいずれかに記載のタイヤ・ホイール組立体。
【発明の詳細な説明】
【０００１】
【発明の属する技術分野】
本発明はタイヤ・ホイール組立体に関し、さらに詳しくは、リム組み作業時のリム組み性とリム組み後の耐リム滑り性、耐リム外れ性との両立を可能にしたタイヤ・ホイール組立体に関する。
【０００２】
【従来の技術】
空気入りタイヤをホイールにリム組みする作業は、まずタイヤの両ビード部をリム部中央のウェル部に落とし、その状態の空気入りタイヤに空気を注入して内圧を徐々に上昇させながら、ウェル部に落とした両ビード部をそれぞれ両側のビードシートに向けて滑らせ、そのビードシートに嵌め込むようにする。
【０００３】
上記リム組み作業では、ビード部内径の大きさがリム組み性（リム組み作業の容易性）に大いに影響すると共に、リム組み後には耐リム滑り性や耐リム外れ性にも大いに影響することが知られている。すなわち、ビード部内径がビードシート径に比べて小さすぎると、リム組み時にビード部の滑りに大きな抵抗が発生し、かつ空気圧（嵌合圧力）を大きくしなければならなくなるため、リム組み作業を困難にする。逆に、ビード部内径がビードシート径に比べて大きすぎると、リム組み作業は容易になるものの、リム組み後のビード部がビードシートにルーズな状態になるため、耐リム滑り性や耐リム外れ性を低下することになる。
【０００４】
したがって、リム組み作業時のリム組み性と、リム組み後の耐リム滑り性、耐リム外れ性とは、一方をよくすると他方が悪くなるという互いに相容れない関係にあり、両特性を同時に満足させる技術の実現が当業界における従来からの課題になっていた。
【０００５】
【発明が解決しようとする課題】
本発明の目的は、リム組み作業時のリム組み性とリム組み後の耐リム滑り性、耐リム外れ性との両立を可能にしたタイヤ・ホイール組立体を提供することにある。
【０００６】
【課題を解決するための手段】
上記目的を達成する本発明は、空気入りタイヤをホイールにリム組みしたタイヤ・ホイール組立体において、前記空気入りタイヤのビード部を前記ホイールのリムフランジ又はビードシートに対して雄ネジで連結すると共に、該雄ネジの先端部を前記ビード部内のビードコアに螺合させたことを特徴とするものである。
【０００７】
上記のように雄ネジを使用して空気入りタイヤのビード部をホイールのリムフランジ又はビードシートに連結すると共に、雄ネジの先端部をビード部内のビードコアに螺合させて固定するため、ビード部内径を無理に小さくしなくても、耐リム滑り性、耐リム外れ性を確実にすることができる。また、このようにビード部内径を無理に小さくしなくてもよいため、リム組みが低い嵌合圧力でも可能になり、リム組み性を向上することができる。
【０００８】
【発明の実施の形態】
図１は、本発明のタイヤ・ホイール組立体を例示した半断面図である。
【０００９】
図１において、タイヤ・ホイール組立体Ａは、空気入りタイヤ１をホイール２にリム組みして構成されている。ここにリム組みされる空気入りタイヤとしては、ラジアルタイヤであってもよく、バイアスタイヤであってもよい。
【００１０】
ホイール２はリム部３とディスク部４から一体に構成され、かつリム部３は幅方向の中央部にウェル部３ｗを有し、左右両側にビードシート３ｓ，３ｓ' を形成している。このホイール２のビードシート３ｓ，３ｓ' に、上記空気入りタイヤ１が左右のビード部１ｂ，１ｂ' を装着している。
【００１１】
この装着状態において、ビード部１ｂとリム部３との間は、図２に示すように、リムフランジ３ｆの外側から挿入した雄ネジ５（ボルト）の先端部がビード部内のビードコア６に螺合するように連結されている。この雄ネジ５によって行うビード部とリム部との間の連結は、図１の左側のビード部１ｂ' に示すように、雄ネジ５をビードシート３ｓ' の外側から挿入してビード部１ｂ’に連結するようにしてもよい。
【００１２】
このようなタイヤ・ホイール組立体Ａのリム組みする作業は、次のようにして実施する。
【００１３】
まず、空気入りタイヤ１の左右一対のビード部１ｂ，１ｂ’をウェル部３ｗに落とし込んだ状態にする。次いで、空気入りタイヤ１に空気を注入しつつ内圧を次第に上昇させていくと、両ビード部１ｂ，１ｂ’がそれぞれ滑りながら左右のビードシート３ｓ，３ｓ’に向けて移動し、最後にビードシート３ｓ，３ｓ’に装着状態になる。このようにビード部１ｂ，１ｂ’を移動させるとき、ビード部１ｂ，１ｂ’の内径が小さめであると、滑り抵抗が大きくなるためリム組み作業性が低下する。また、滑り抵抗に抗してビード部１ｂ，１ｂ’を移動させるため大きな嵌合圧力（空気圧）が必要になり、ビード部１ｂ，１ｂ’を損傷する原因になる。
【００１４】
本発明のタイヤ・ホイール組立体Ａでは、リム組み後にビード部１ｂ，１ｂ' をそれぞれホイール２のリムフランジ３ｆ，３ｆ’、又はビードシート３ｓ，３ｓ’に雄ネジ５，５で連結するため、ビード部１ｂ，１ｂ' の内径の大きさ如何に関わらず確実な耐リム滑り性、耐リム外れ性を得ることができる。したがって、これら耐リム滑り性、耐リム外れ性のために、ビード部１ｂ，１ｂ' の内径を小さめに設定する必要がないため、リム組み作業性を良好にし、嵌合圧力も小さくすることができる。また、従来のタイヤ・ホイール組立体の場合には、ビードシートの表面にリム外れ防止のためにハンプ（突起）を設けているが、本発明ではこのようなハンプを無くすこともできる。
【００１５】
本発明において、空気入りタイヤのビード部をホイールのリムフランジ又はビードシートに対して連結する連結手段には雄ネジが使用され、その雄ネジとしては、頭付きボルトが好ましい。頭付きボルトの雄ネジは、その頭をリムフランジ又はビードシートに係止させ、その先端部を、図２に示すように、ビード部のゴム層およびビードコアに対して、そのゴム層やビードコアに設けた雌ネジに螺合させる。ただし、雄ネジの先端部を挿入するゴム層やビードコアの孔は、雌ネジ無しの単純孔であってもよい。
【００１６】
前者のようにゴム層やビードコアに雌ネジの孔を設ける場合は、リム側の雄ネジの挿通孔は雌ネジ無しのバカ孔にする。後者のようにゴム層やビードコアに雌ネジ無しの単純孔を設ける場合は、リム側の雄ネジの挿通孔は雌ネジ孔にして螺合させるようにする。
【００１７】
ビードコアに雌ネジ孔を設ける場合は、そのビードコアの構成は一般のビードコアのように複数本の金属ワイヤの収束体から形成するよりも、単一の中実鋼材から成形した方がよい。このようにビードコアを中実鋼材から構成することにより、雄ネジを螺合させる雌ネジ孔を設けた場合であっても、ビードコアの強度低下を招くことはない。また、ビードコアの強度低下防止のため、雄ネジが螺合する雌ネジ孔を設けた箇所を、非螺合箇所（雌ネジ孔を設けていない箇所）よりも局部的に肉厚にしてもよい。
【００１８】
雄ネジの素材としては金属が好ましく、中でも鋼が好ましい。また、軽量化のために樹脂を使用してもよい。樹脂を雄ネジに使用する場合は、高弾性率の樹脂が好ましく、さらに好ましくは、補強繊維で強化した繊維強化樹脂がなおよい。補強繊維の種類は特に限定されないが、例えば、炭素繊維、ガラス繊維、アラミド繊維、ポリエステル繊維、ナイロン繊維、ポリビニルアルコール繊維、ポリオレフィン繊維などを挙げることができる。
【００１９】
【発明の効果】
上述したように本発明によれば、雄ネジを使用して空気入りタイヤのビード部をホイールのリムフランジ又はビードシートに連結すると共に、雄ネジの先端部をビード部内のビードコアに螺合させて固定したため、ビード部内径を無理に小さくしなくても耐リム滑り性、耐リム外れ性を確実にすることができる。また、ビード部内径を無理に小さくしなくてもよいので、リム組み性を向上することができる。
【図面の簡単な説明】
【図１】本発明のタイヤ・ホイール組立体を例示した半断面図である。
【図２】図１のタイヤ・ホイール組立体の要部を示す拡大図である。
【符号の説明】
１  空気入りタイヤ
１ｂ，１ｂ' ビード部
２  ホイール
３  リム部
３ｓ，３ｓ'   ビードシート
３ｆ，３ｆ'   リムフランジ
３ｗ  ウェル部
５  雄ネジ
６  ビードコア
Ａ  タイヤ・ホイール組立体
【図１】
0004457493.tif 000002
【図２】
0004457493.tif 000003